(57)【要約】  本発明の課題は、回転電機のモーターケースの捩り剛性を向上させながらも、軽量化を推進することである。  ステータと、前記ステータの内周と対向するロータと、前記ロータに結合される回転軸と、前記ステータ及び回転軸を収容するモーターケースであって、前記モーターケースは、筒状に形成されて内部に前記ステータ及び回転軸を収容する空間を有する周壁と、前記周壁の一端に形成されて外部に結合されるフランジ部と、前記周壁の外周に形成されて、前記ステータの端部から前記回転軸の径方向の延長上で、前記周壁の外周と交差する位置から、前記フランジ部までの間に形成され複数のリブで構成される制振リブと、を有する。
2020145034.tif 000002
【特許請求の範囲】
【請求項１】
ステータと、前記ステータの内周と対向するロータと、前記ロータに結合される回転軸と、を収容するモーターケースであって、
前記モーターケースは、
筒状に形成されて内部に前記ステータ及び回転軸を収容する空間を有する周壁と、
前記周壁の一端に形成されて外部に結合されるフランジ部と、
前記周壁の外周に形成されて、前記ステータの端部から前記回転軸の径方向の延長上で、前記周壁の外周と交差する位置から、前記フランジ部までの間に形成され複数のリブで構成される制振リブと、
を有することを特徴とするモーターケース。
【請求項２】
請求項１に記載のモーターケースであって、
前記制振リブは、
複数の直線状のリブを交差させることを特徴とするモーターケース。
【請求項３】
請求項２に記載のモーターケースであって、
前記周壁の外周には、前記回転軸の軸方向と平行な直線リブが形成され、
前記制振リブは、
前記直線リブと前記フランジ部を接続することを特徴とするモーターケース。
【請求項４】
請求項２に記載のモーターケースであって、
前記複数のリブは、第１のリブと第２のリブを含み、前記第１のリブは、前記回転軸の軸方向に対して０゜より大きく９０゜より小さい角度で形成され、前記第２のリブは、前記回転軸の軸方向に対して９０゜より大きく１８０゜より小さい角度で形成されることを特徴とするモーターケース。
【発明の詳細な説明】
【技術分野】
【０００１】
本発明は、回転電機のモーターケースに関する。
【背景技術】
【０００２】
車両に搭載される回転電機のモーターケースでは、強度に加えて軽量化も要求されている。強度の確保と軽量化の実現のために、モーターケースの外周にリブを形成する技術が知られている（例えば、特許文献１）
【先行技術文献】
【特許文献】
【０００３】
【特許文献１】特開２００９−２３２６０１号公報
【発明の概要】
【発明が解決しようとする課題】
【０００４】
駆動用の回転電機では、発生するトルクが大きく、また、発生する電磁加振力も大きいためモーターケースの捩じり剛性を高める必要がある。しかしながら、上記従来例では、モーターケースの軽量化と捩り剛性の確保を両立させることはできない。【０００５】
捩じり剛性が確保できない場合、電磁加振力による振動がモーターケースに発生し、特に低回転域で振動または騒音が増大し、車両の静粛性を損ねる、という問題があった。【０００６】
そこで本発明は、上記問題点に鑑みてなされたもので、回転電機のモーターケースの捩り剛性を向上させながらも、軽量化を推進することを目的とする。
【課題を解決するための手段】
【０００７】
本発明は、ステータと、前記ステータの内周と対向するロータと、前記ロータに結合される回転軸と、前記ステータ及び回転軸を収容するモーターケースであって、前記モーターケースは、筒状に形成されて内部に前記ステータ及び回転軸を収容する空間を有する周壁と、前記周壁の一端に形成されて外部に結合されるフランジ部と、前記周壁の外周に形成されて、前記ステータの端部から前記回転軸の径方向の延長上で、前記周壁の外周と交差する位置から、前記フランジ部までの間に形成され複数のリブで構成される制振リブと、を有する。
【発明の効果】
【０００８】
したがって、本発明は、回転電機の出力側のフランジ部とステータの端部の間に相当する区間のモーターケースの周壁の外周で、フランジ部と直線リブを接続する複数のリブを交差して制振リブを形成することによって、軽量化を推進しながらも、回転電機の捩じり剛性を向上させて、ねじり振動を低下させることが可能となる。【０００９】
本明細書において開示される主題の、少なくとも一つの実施の詳細は、添付されている図面と以下の記述の中で述べられる。開示される主題のその他の特徴、態様、効果は、以下の開示、図面、請求項により明らかにされる。
【図面の簡単な説明】
【００１０】
【図１】本発明の実施例を示し、回転電機のモーターケースの正面図である。
【図２】本発明の実施例を示し、モーターケースの半断面図である。
【図３】本発明の実施例を示し、モーターケースの斜視図である。
【発明を実施するための形態】
【００１１】
以下、本発明の実施形態を添付図面に基づいて説明する。
【００１２】
図１は、本発明の実施例を示し、回転電機のモーターケース１の正面図である。モーターケース１は円筒状の周壁１０を形成し、図中左側の周壁１０の端部には外周へ突出した円形のフランジ部１３が形成される。
【００１３】
フランジ部１３は、モーターケース１の出力側となっており、図示しない減速機（または変速機等の機械要素）が取り付けられる。周壁１０の軸方向の一端にはフランジ部１３が形成され、他端には開口端１０Ａが形成され、開口端１０Ａからステータや回転子（シャフト２及びロータ）などが組み込まれる。
【００１４】
周壁１０の外周には、シャフト（回転軸）２の軸線Ｃ１と平行な直線リブ１１−１〜１１−４が、所定の間隔で形成される。直線リブ１１−１〜１１−４は、軸線Ｃ１を中心として周壁１０の外周から放射状に所定の高さで突出する。なお、以下の説明では、直線リブのそれぞれを特定しない場合には、「−」以降を省略した符号「１１」を用いる。また、他の構成要素の符号についても同様である。
【００１５】
また、周壁１０の外周には、軸線Ｃ１の軸方向に所定の間隔で、円環状の環状リブ１２−１〜１２−３が形成される。環状リブ１２は、軸線Ｃ１と直交する平面上で周壁１０の外周から所定の高さで形成される。
【００１６】
そして、フランジ部１３と環状リブ１２−１との間で、かつ、直線リブ１１−２と直線リブ１１−３の間には、２つの直線状のリブを交差させた制振リブ２０−１、２０−２が形成される。制振リブ２０は、周壁１０の外周から所定の高さに突出する。
【００１７】
なお、制振リブ２０−１（第１のリブ）は、シャフト２の軸線Ｃ１方向に対して０゜より大きく９０゜より小さい角度で形成され、制振リブ２０−２（第２リブ）は、シャフト２の軸線Ｃ１方向に対して９０゜より大きく１８０゜より小さい角度で形成される。
【００１８】
また、制振リブ２０−１、２０−２は所定の角度で交差して、直線リブ１１−２と直線リブ１１−３及びフランジ部１３を接続する。
【００１９】
図２は、回転電機のモーターケース１の半断面図である。モーターケース１のフランジ部１３側の内周には、シャフト２を挿通する貫通孔４０が形成される。そして、周壁１０の内部に面するフランジ部１３の裏側には、平面状の内周面１３Ａが形成される。内周面１３Ａから開口端１０Ａまでの周壁１０の内部には、円柱状の空間が形成され、ステータ４、シャフト２及びロータ３が収容される。なお、貫通孔４０には、図示しないベアリングが取り付けられて、シャフト２を回転自在に支持する。
【００２０】
周壁１０の内部の円柱状の空間は、内径の異なる空間で形成され、フランジ部１３の内周面１３Ａから軸方向へ所定の距離Ｌ２までは内径の小さい空間が形成され、所定の距離Ｌ２から開口端１０Ａまでは、内径の大きい空間が形成される。
【００２１】
そして、内径の異なる空間の境となる内周面１３Ａから軸線Ｃ１方向で距離Ｌ２の位置には、段部２１が形成され、ステータ４の端部４Ａが当接する。段部２１は、ステータ４の端部４Ａの位置決めを行う壁面として機能する。
【００２２】
次に、周壁１０の外周に形成された制振リブ２０について説明する。なお、本実施例では、周壁１０の外周に接続されるフランジ部１３の開口端１０Ａ側の外周面１３Ｂと、周壁１０の内部の内周面１３Ａの軸線Ｃ１方向の位置は同一である。なお、フランジ部１３の外周面１３Ｂは、周壁１０の外周から立ち上がる平面で形成される。
【００２３】
制振リブ２０−１は、フランジ部１３側の端部が直線リブ１１−３（図１参照）に接続され、軸線Ｃ１に対して所定の角度で傾斜して、他端を直線リブ１１−２に接続する。制振リブ２０−１が直線リブ１１−２と接続する軸線Ｃ１方向の位置は、フランジ部１３の外周面１３Ｂから所定の距離Ｌ１に設定される。
【００２４】
同様に、制振リブ２０−２は、フランジ部１３側の端部が直線リブ１１−２に接続され、軸線Ｃ１に対して所定の角度で傾斜して、他端を直線リブ１１−３（図１参照）に接続する。制振リブ２０−２が直線リブ１１−３と接続する軸線Ｃ１方向の位置は、フランジ部１３の外周面１３Ｂから所定の距離Ｌ１に設定される。
【００２５】
制振リブ２０−１、２０−２は、軸線Ｃ１方向で同一となるＬ１の位置で直線リブ１１に接続される。そして、フランジ部１３の外周面１３Ｂからの距離Ｌ１は、ステータ４の端部４Ａ（段部２１）が配置される内周面１３Ａからの距離Ｌ２よりも大きく設定される。
【００２６】
ここで、回転電機の電磁加振力は、ロータ３とステータ４の間で発生する。電磁加振力は、ステータ４を介してモーターケース１に伝達される。
【００２７】
本実施例のモーターケース１は、ステータ４が発生する電磁加振力に着目して、制振リブ２０の配置を決定するものである。すなわち、回転電機を減速機と結合するフランジ部１３から、電磁加振力を発生するステータ４の端部４Ａに相当する軸線Ｃ１方向の区間（距離Ｌ２）で、周壁１０の外周を部分的に覆うように制振リブ２０を配置する。
【００２８】
本実施例では、２つの直線リブを交差したＸ字状の制振リブ２０を、周壁１０の外周側の外周面１３Ｂから距離Ｌ１まで形成し、周壁１０の内部のステータ４の端部４Ａをカバーする。
【００２９】
すなわち、制振リブ２０を形成する軸線Ｃ１方向の位置は、フランジ部１３の内周面１３Ａからステータ４の端部４Ａまでの距離Ｌ２よりも大きな距離Ｌ１とする。換言すれば、ステータ４の端部４Ａから半径方向で軸線Ｃ１方向の位置が一致する周壁１０の外周は、制振リブ２０で覆われる。
【００３０】
ここで、周壁１０を鋳造で製造する場合には、鋳型を考慮して直線リブ１１間のうち、周壁１０の円周方向で間欠的に制振リブ２０を配置する。本実施例では、モーターケース１を鋳造で製造するため、直線リブ１１−２、１１−３の間でフランジ部１３と接続する制振リブ２０を形成し、直線リブ１１−１、１１−２の間には制振リブ２０を形成しない例を示すが、これに限定されるものではなない。例えば、切削によってモーターケース１を製造する場合には、隣り合う直線リブ１１の間に制振リブ２０を全周に形成することが可能である。
【００３１】
図３は、回転電機のモーターケース１の斜視図である。図３では、モーターケース１の直線リブ１１が、電磁加振力ｆによって変形する様子を示す。モーターケース１のフランジ部１３が、回転電機の出力を伝達する減速機に結合されて、回転子（ロータ３及びシャフト２）がトルクを発生すると、電磁加振力ｆが発生する。
【００３２】
電磁加振力ｆは、図示の矢印のように、開口端１０Ａ側で直線リブ１１を図中下方へ捩るように作用する。この場合、制振リブ２０−１は、圧縮方向の力を受けて直線リブ１１−２が下方へ捩られるのをフランジ部１３側の端部で支持することで、直線リブ１１−２の変形を抑制する。一方、制振リブ２０−２は、引っ張り方向の力を受けて直線リブ１１−３が下方へ捩られるのをフランジ部１３側の端部で支持することで、直線リブ１１−３の変形を抑制する。
【００３３】
このように、周壁１０の外周で、フランジ部１３からステータ４の端部４Ａに相当する区間で直線リブ１１とフランジ部１３を接続するＸ字状の制振リブ２０を形成することで、モーターケース１の捩り剛性を向上させながらも、軽量化を推進することができるのである。
【００３４】
以上のように、本実施例では、フランジ部１３と直線リブ１１−２、１１−３を接続する２つのリブを交差させることで制振リブ２０を形成し、制振リブ２０を形成する位置を、フランジ部１３からステータ４の端部４Ａまでを覆う周壁１０の外周とする。
【００３５】
換言すれば、ステータ４の端部４Ａからシャフト２の半径方向の延長上で周壁１０と交差する位置から、フランジ部１３の外周面１３Ｂまでの間で複数のリブにより直線リブ１１を支持する制振リブ２０を形成する。
【００３６】
これにより、モーターケース１の重量の増大を抑制しながら、捩り剛性を向上させることが可能となって、電磁加振力による振動を低減し、回転電機を搭載する車両の静粛性を向上させることが可能となる。
【００３７】
なお、上記実施例では、制振リブ２０の位置をシャフト２の軸線Ｃ１を基準として説明したが、周壁１０の軸線を基準としてもよい。
【００３８】
また、上記実施例では、周壁１０の内部にステータ４の軸方向の位置決めを行う段部２１を形成する例を示したが、これに限定されるものではなない。例えば、周壁１０の内部を単一の内径の空間として、内周面１３Ａ側にスペーサなどを挿入するようにしてもよい。
【００３９】
また、上記実施例では、周壁１０の形状を円筒状とした例を示したが、ステータ４及び回転子（シャフト２及びロータ３）を収容可能な筒状であればよい。
【００４０】
また、上記実施例では、周壁１０の外周に軸線Ｃ１方向と平行する直線リブ１１を形成した例を示したが、これに限定されるものではなない。周壁１０の外周には軸線Ｃ１方向のリブは無くてもよい。また、周壁１０の外周には軸線Ｃ１に対して傾斜したリブを設けてもよい。
【００４１】
＜まとめ＞
以上のように、上記実施例のモーターケース１は、ステータ（４）と、前記ステータ（４）の内周に対向するロータ（３）と、前記ロータ（３）に結合される回転軸（２）と、前記ステータ（４）及び回転軸（２）を収容するモーターケースであって、前記モーターケースは、筒状に形成されて内部に前記ステータ（４）及び回転軸（２）を収容する空間を有する周壁（１０）と、前記周壁（１０）の一端に形成されて外部に結合されるフランジ部（１３）と、前記周壁（１０）の外周に形成されて、前記ステータ（４）の端部から前記回転軸（２）の半径方向の延長上で、前記周壁（１０）の外周と交差する位置から、前記フランジ部（１３）までの間に形成され複数のリブで構成される制振リブ（２０）と、を有する。
【００４２】
モーターケース１の周壁１０の外周で、フランジ部１３からステータ４の端部４Ａに相当する区間で複数のリブ（２０−１、２０−２）を組み合わせた制振リブ２０を形成することで、モーターケース１の捩り剛性を向上させながらも、軽量化を推進することができるのである。
【００４３】
また、前記制振リブ（２０）は、複数の直線状のリブ（２０−１、２０−２）を交差させる。これにより、電磁加振力が周壁１０に加わると、例えば、制振リブ２０−１は、圧縮方向の力を支持する一方、制振リブ２０−２は、引っ張り方向の力を支持し、制振リブ２０はねじり振動を抑制し、ステータ４の端部４Ａの半径方向の外周からフランジ部１３までの、周壁１０の捩り剛性を向上させることができる。また、複数の直線状のリブ（２０−１、２０−２）の重量は軽量であるため、モーターケース１の重量の過大な増大を抑制することができる。
【００４４】
また、前記周壁（１０）の外周には、前記回転軸（２）の軸方向と平行な直線リブが形成され、前記制振リブ（２０）は、前記直線リブと前記フランジ部（１３）を接続する。
【００４５】
これにより、電磁加振力が周壁１０に加わると、例えば、制振リブ２０−１は、圧縮方向の力を受けて直線リブ１１−２が下方へ捩られるのをフランジ部１３側の端部で支持することで、直線リブ１１−２の変形を抑制する。一方、制振リブ２０−２は、引っ張り方向の力を受けて直線リブ１１−３が下方へ捩られるのをフランジ部１３側の端部で支持することで、直線リブ１１−３の変形を抑制する。このように、制振リブ２０は、ねじり振動を抑制し、ステータ４の端部４Ａの半径方向の外周からフランジ部１３までの、周壁１０の捩り剛性を向上させることができる。
【００４６】
また、前記複数のリブは、第１のリブと第２のリブを含み、前記第１のリブは、前記回転軸（２）の軸方向に対して０゜より大きく９０゜より小さい角度で形成され、前記第２リブは、前記回転軸（２）の軸方向に対して９０゜より大きく１８０゜より小さい角度で形成される。
【００４７】
これにより、周壁１０の外周で、フランジ部１３からステータ４の端部４Ａに相当する区間で直線リブ１１とフランジ部１３を接続するＸ字状の制振リブ２０を形成することで、モーターケース１の捩り剛性を向上させながらも、軽量化を推進することができるのである。
【００４８】
また、制振リブ２０−１と制振リブ２０−２を交差させることで、制振リブ２０−１が圧縮荷重を受け、制振リブ２０−２が引っ張り荷重を受けている場合、制振リブ２０−１へ交差する位置から分散させることで制振リブ２０−２の引張りによる変形を低減し、捩じり振動を低下させることができる。
【００４９】
なお、本発明は上記した実施例に限定されるものではなく、様々な変形例が含まれる。例えば、上記した実施例は本発明を分かりやすく説明するために詳細に記載したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、又は置換のいずれもが、単独で、又は組み合わせても適用可能である。
【符号の説明】
【００５０】
１  モーターケース
２  シャフト
３  ロータ
４  ステータ
４Ａ  端部
１０  周壁
１１−１〜１１−４  軸方向リブ
１２−１〜１２−３  周方向リブ
１３  フランジ部
１３Ａ  内周面
２０−１、２０−２  制振リブ
２１  段部
【図１】
2020145034.tif 000003
【図２】
2020145034.tif 000004
【図３】
2020145034.tif 000005
【国際調査報告】
2020145034.tif 000006
2020145034.tif 000007
2020145034.tif 000008
2020145034.tif 000009